(57)【要約】      （修正有）【課題】日光浴をする際の砂避けが可能な多機能多目的容器で、避難生活においてプライバシーが保たれ、落ち着いて睡眠が取れる折畳み可能な組立式多機能多目的容器を提供する。【解決手段】プラスック段ボール板に切れ目を入れることなく、底板２の周囲に折り目を介して対向起立させた面板４並びに側板３と、面板４と側板３に隣り合う三角形の折り込み片６と接続片７を有するひだ形成部８を備え、このひだ形成部８を容器の外側または内側に向かって折り曲げ、面板４に固定し、形状を保持させる。【選択図】図１
2005330002.tif 000002
【特許請求の範囲】
【請求項１】
プラスチック段ボール板に切れ目を入れることなく、折り加工したもので、底板の周囲に折り目を介して対向起立させた面板並びに側板と、これら面板或いは側板の互いに隣り合った端面に形成され、底板と接する位置を頂点とする三角形の折込片、接続片を有するひだ形成部を備え、前述ひだ形成部は面板或いは側板の側面に位置しており、容器の外側または内側に向かって折り曲げ、面板に固定し、形状保持することを特徴とする折畳み可能な組立式多機能多目的容器。
【発明の詳細な説明】
【技術分野】
【０００１】  本発明は、折畳み可能な組立式多機能多目的容器に関する。
【背景技術】
【０００２】  従来、砂浜で日光浴をする際に、シート等を敷いているが、端部に立ち上がる壁面がないので、風により砂が舞い上がった場合、体に砂が付き日焼けでその後が残ってしまうことがあった。【０００３】  また、災害時に体育館、校庭、公園等の場所に非難するが、大勢の人たちの中での生活はプライバシーを保つための安定した区画がなく、プライバシーが保ち難くい。体育館の床や校庭・公園等の固く冷たい場所で寝起きする場合、身体が冷え睡眠が取れない等の問題点があった。
【発明が解決しようとする課題】
【０００３】  そこで、本発明者は、日光浴をする際の砂避けが可能な多機能多目的容器で、避難生活においてプライバシーが保たれ、落ち着いて睡眠が取れる折畳み可能な組立式多機能多目的容器について種々検討を重ねた結果本発明を完成するに至った。
【課題を解決するための手段】
【０００４】  すなわち、本発明は、プラスチック段ボール板を熱処理加工で折り目を付けた組立式容器であり、必要のない場合には折畳みが簡単でコンパクトに収納でき、切れ目のないことを特徴とした、水を入れることのできる折畳み可能な組立式多機能多目的容器である。
【発明の効果】
【０００５】  本発明の折畳み可能な組立式多機能多目的容器を用いれば、テープやバンド・紐等を使わず、折り目に沿って容易に組立てることができると共に、組立方により蓋板のある多機能多目的容器になり、必要のない場合には折り目に沿って畳むことでコンパクト収納することができ、スペースをとることもなく極めて便利である。
【０００６】  本発明の折畳み可能な組立式多機能多目的容器の利用例について挙げる。
レジャーには、海岸の日光浴での風砂避け、加湿器を備えてサウナ風呂等、室内・野外に使用され、災害時には、プライバシー保護の区画とし、保温・保冷・断熱のある仮設ベット、形状保持される仮設水槽、プール、保温性のある仮設風呂、冷暖房機を備えて緊急並びに即効性のある冷暖房等に使用され、屋外庭園や植栽の区画、植木鉢の水受けトレイ等に使用する。更に、蓋型容器とセットで仮設収納箱として使用でき、多機能多目的に使用され場所・用途等を限定されない。
【発明を実施するための最良の形態】
【０００７】  次に本発明を図面を参照しながら説明するが、本発明は、以下の説明のみに限定されるものではない。
図１は、本発明の折畳み可能な組立式多機能多目的容器の一例を示す斜視図である。
本発明の折畳み可能な組立式多機能多目的容器１は、底板２の周囲に折り目を介して対向起立させた側板３並びに面板４と、これら側板３及び面板４の互いに隣り合った端面からなり、端面は底板２と接する位置を頂点とする三角形の折込片６と接続片７を有するひだ形成部８を備え、前述ひだ形成部８は側板３及び面板４の側面に位置しており、容器の外側に向かって折り曲げ、面板４に固定させる事によって底部が構成される。
次にひだ形成部８と面板４の固定方法について説明する。このひだ形成部８の接続片７には、繰り返し使用可能な固定材例えば面ファスナー９のフック或いはループが取り付けられ、面板４の端部に面ファスナー９のループ或いはフックが取り付けられており、接続片７の面ファスナー９と面板４の面ファスナー９を重ね合わせ固定し形状保持する。
また、別の固定方法として、ひだ形成部８の接続片７と側板３に面ファスナー９のフック或いはループが取り付けられ、接続片７と側板３を重ね合わせて固定し形状保持する。ここでは、側板３は面板４よりも辺の長さが短い方を云う。
さらに、ひだ形成部８は容器の内側に向かって折り曲げ、側板３又は面板４の側面に固定させる事によって底部を構成させても良い。【０００８】  なお、折り目部は繰り返し組立てて、折畳まれるので補強材を付けたり、プラスチック段ボール板の端部や角等では、怪我をしないために保護材を取り付けると良い。【０００９】  本発明の折畳み可能な組立式多機能多目的容器に水を入れて使用する際、補強又は形状保持に、該側板３から該面板４までを面ファスナーで連続にとめることができる。【００１０】  図２は、本発明の折畳み可能な組立式多機能多目的容器において、蓋板付の一例を示す斜視図である。
折畳み可能な組立式多機能多目的容器１は、底板２の周囲に折り目を介して対向起立させた側板３並びに面板４、側板３の折り目を介して隣接した蓋板５と、これら側板３及び面板４の互いに隣り合った端面と、蓋板５及び端面の互いに隣り合った他の端面からなり、端面は底板２と接する位置を頂点とする三角形の折込片６と接続片７を有するひだ形成部８とを備え、且つ他の端面は側板３接する位置を頂点とする三角形の折込片６と接続片７を有するひだ形成部８とを備え、前述ひだ形成部８は側板３及び面板４の側面に位置し、ひだ形成部８は側板３及び蓋板５の側面に位置しており、容器の外側に向かって折り曲げ、接続片７と接続片７は底板２に固定させる事によって底部が構成される【００１１】  なお、図３に示すように、片側のみを蓋板を有する形に折畳み可能な組立式多機能多目的容器を使用しても良い。
そして、蓋板５を有する場合、側板３の長さＬ′は蓋板５の長さＬより、長くする必要がある。蓋板５を有しない場合、蓋板５を側板３として使用するため、側板３の長さはＬである。【００１２】  図４は折畳み可能な組立式多機能多目的容器を展開したプラスック段ボールを示す平面図である。
プラスチック段ボール板１２には、縦横の折り目１３・１４・１４′とひだ型形成部８の折り目１５が有り、該折り目１３・１５によって区画された底板２と側板３・面板４・蓋板５・三角形の折込片６と接続片７を有するひだ形成部８、接続片７と面板４には面ファスナー９が取り付けてある。折り目１３・１５は本発明を組立てる場合に使い、折り目１４・１４′は本発明を折畳む際に使うものである。
図５は面ファスナーのフック１０とループ１１を表したものである。【００１３】  図６は折畳み可能な組立式多機能多目的容器を展開したプラスチック段ボール板を折畳む手順を表した図である。
（Ａ）は広げたプラスチック段ボール板１２を示す。
（Ｂ）はプラスチック段ボール板１２の面板４を底板２に折畳む。
（Ｃ）は蓋板５を側板３に折畳み
（Ｄ）は折畳まれた蓋板５と側板３を底板２に折畳む。
（Ｅ）は底板２を折り目１４に沿って半分に折畳む。
（Ｆ）は半分に折畳まれた底板２を折り目１４′に沿って折り返して畳む。
（Ｇ）は折畳まれたプラスチック段ボール板を袋に入れた姿を示す。
袋のほかにも箱等に収めれば、場所を取らずコンパクトに収納できる。【００１４】  更に、底板２の寸法を大きくさせた折畳み可能な組立式多機能多目的容器を用意すれば、本発明の蓋型容器にすることができる。【００１５】  本発明の折畳み可能な組立式多機能多目的容器はプラスック段ボールを組み立てたもので、その材料としてはポリエチレン、ポリプロピレン、ポリスチレン、ポリ塩化ビニール等挙げられる。本考案は耐候性・防水性に優れ、形状保持性・断熱性が高く、軽量・薄型で組立・折畳みが簡単な上、コンパクトな収納を可能にした。【００１６】  さらに、レジャー・緊急時対策・保温・保冷等多目的な用途に簡便使用されるものである。
【図面の簡単な説明】
【００１７】
【図１】本発明の折畳み可能な組立式多機能多目的容器の斜視図
【図２】本発明の折畳み可能な組立式多機能多目的容器で蓋のある組立の斜視図
【図３】本発明の折畳み可能な組立式多機能多目的容器で片側に蓋のある組立の斜視図
【図４】本発明の折畳み可能な組立式多機能多目的容器の展開図
【図５】面ファスナーの断面図
【図６】本発明の折畳み可能な組立式多機能多目的容器の折畳む手順を表した図
【符号の説明】
【００１８】１・・・・折畳み可能な組立式多機能多目的容器
２・・・・底板
３・・・・側板
４・・・・面板
５・・・・蓋板
６・・・・折込片
７・・・・接続片
８・・・・ひだ形成部
９・・・・面ファスナー
１０・・・・面ファスナーのフック
１１・・・・面ファスナーのループ
１２・・・・プラスック段ボール板
１３・・・・折り目
１４・・・・折り目
１４′・・折り目
１５・・・・折り目
【図１】
2005330002.tif 000003
【図２】
2005330002.tif 000004
【図３】
2005330002.tif 000005
【図４】
2005330002.tif 000006
【図５】
2005330002.tif 000007
【図６】
2005330002.tif 000008